(57)【要約】  本発明は、複合型ヘッド及び放射線撮影装置を開示し、前記複合型ヘッドは、密閉キャビティを有するケースと、前記密閉キャビティ内に設けられる放射線管球と、前記密閉キャビティ内に設けられるポンプ及びチューブと、を備え、前記ポンプは、前記放射線管球の陽極から離れた一方側に設けられ、前記チューブは、一端が前記ポンプの出口に接続され、他端が前記放射線管球の陽極付近まで延びており、または、前記ポンプは、前記放射線管球の陽極付近に設けられ、前記チューブは、一端が前記ポンプの入口に接続され、他端が前記放射線管球の陽極から離れた一方側まで延びている。本発明では、ポンプが作動する際に、陽極から離れた位置で絶縁媒体が陽極付近に吸引され、密閉キャビティの内部の絶縁媒体が循環を構成するように駆動され、それにより、陽極の位置とほかの位置との温度差が徐々に小さくなり、密閉キャビティ内の絶縁媒体の温度勾配分布がより均一になる。【選択図】図３
2021516862.tif 000002
【特許請求の範囲】
【請求項１】
複合型ヘッドであって、
密閉キャビティを有するケースと、
前記密閉キャビティ内に設けられる放射線管球と、
前記密閉キャビティ内に設けられるポンプ及びチューブと、を備え、
前記ポンプは、前記放射線管球の陽極から離れた一方側に設けられ、前記チューブは、一端が前記ポンプの出口に接続され、他端が前記放射線管球の陽極付近まで延びており、または、前記ポンプは、前記放射線管球の陽極付近に設けられ、前記チューブは、一端が前記ポンプの入口に接続され、他端が前記放射線管球の陽極から離れた一方側まで延びている、ことを特徴とする複合型ヘッド。
【請求項２】
前記ケースは、カバープレートとケース本体を備え、
前記複合型ヘッドは、前記密閉キャビティ内に設けられ、前記密閉キャビティを、連通している第１のキャビティと第２のキャビティとに仕切る第１の絶縁セパレータをさらに備え、前記カバープレートは前記第１のキャビティの側壁に位置し、
前記放射線管球は前記第１のキャビティに設けられ、前記ポンプは前記第２のキャビティのうち前記放射線管球の陽極から離れた一方側に設けられる、ことを特徴とする請求項１に記載の複合型ヘッド。
【請求項３】
前記カバープレートには、透明カバーがシールして設けられる第１の開口が設けられ、前記放射線管球の放射線の出射面が前記透明カバーの位置に対応する、ことを特徴とする請求項２に記載の複合型ヘッド。
【請求項４】
前記第２のキャビティ内に設けられ、前記第１の絶縁セパレータと交差して設けられ、前記第２のキャビティを第１のサブキャビティと第２のサブキャビティとに仕切る第２の絶縁セパレータをさらに備え、
前記ポンプは前記第１のサブキャビティに設けられ、前記第１のサブキャビティはさらに、
高圧側の両端がそれぞれ前記放射線管球の陽極、陰極に接続される前記複合型ヘッドの高周波トランスと、
高圧側の両端がそれぞれ前記放射線管球の陰極のフィラメントの両端に接続される前記複合型ヘッドのフィラメントトランスとを設けることに用いられ、
前記第２のサブキャビティは、前記複合型ヘッドの回路基板を設けることに用いられる、ことを特徴とする請求項２に記載の複合型ヘッド。
【請求項５】
前記高周波トランスは、
柱状の第１の磁芯と、
前記第１の磁芯の外部に覆設される筒状の第１のフレームワークと、
前記第１のフレームワークの外壁面に巻設される第１のコイルと、
前記第１のコイルの外部に覆設される筒状の第２のフレームワークと、
前記第２のフレームワークの外壁面に巻設される第２のコイルと、
両端がそれぞれ前記第１の磁芯の両端に連結されて閉磁気ループを形成する柱状の第２の磁芯と、を備えることを特徴とする請求項４に記載の複合型ヘッド。
【請求項６】
前記第１のコイルは低圧コイルであり、前記第２のコイルは高圧コイルであり、且つ前記第２のコイルの中央部が接地している、ことを特徴とする請求項５に記載の複合型ヘッド。
【請求項７】
前記ケースには第２の開口が設けられ、
前記複合型ヘッドは、前記密閉キャビティ内に設けられ、その開口が前記第２の開口にシールして接続されるカプセルをさらに備える、ことを特徴とする請求項１に記載の複合型ヘッド。
【請求項８】
前記放射線管球の陽極ターゲットが固設されており、前記放射線管球は、
前記陽極ターゲットの端部に接続され、前記放射線管球を貫通して前記密閉キャビティ内に入る放熱フィンをさらに備える、ことを特徴とする請求項１に記載の複合型ヘッド。
【請求項９】
請求項１〜８のいずれか１項に記載の複合型ヘッドを備えることを特徴とする放射線撮影装置。
【請求項１０】
Ｃ型アームＸ線装置であることを特徴とする請求項９に記載の放射線撮影装置。
【発明の詳細な説明】
【技術分野】
【０００１】
本発明は、医療機器の技術分野に関し、具体的には、複合型ヘッド及び放射線撮影装置に関する。
【背景技術】
【０００２】
複合型ヘッドは、放射線を発生させる放射線管球を備え、たとえば、Ｘ線複合型ヘッドにおけるＸ線管球はＸ線を発生させることに用いられる。複合型ヘッドは、通常、ＣＣＤなどのイメージセンサー、プロセッサ及びブラケットと組み合わせて完全な放射線装置の製品を構成し、たとえば、Ｃ型アームＸ線装置は、手術中の透視造影に広く使用されている。従来技術では、陽極固定型Ｘ線管球を用いたＸ線複合型ヘッドの構造は、図１に示すように、ハウジング１０４内にＸ線管球１０１とＸ線管球１０１へ高電圧を供給する高電圧発生器１０２とが設けられ、ハウジング１０４内に絶縁油１０３が充填されている。ここでは、Ｘ線管球１０１は、真空ハウジング１０６と、真空ハウジング１０６内に配置される陰極フィラメント１０７、集束電極１０８及び陽極ターゲット１１０、放熱フィン１１１と、を備える。作動する際に、Ｘ線管球の陰極フィラメント１０７が、フィラメントトランスの高電圧に接続され、加熱されて発生した電子が陽極ターゲット１０９に衝撃し、Ｘ線が発生する。Ｘ線管球がＸ線を発生するときに、約１％だけのエネルギーがＸ線に変換され、９９％を超えるエネルギーが熱エネルギーに変換されて陽極ターゲットの表面に集積されるが、陽極ターゲットの表面の熱エネルギーに対する耐性には限界があり、熱エネルギーがタイムリーに伝達できず、熱エネルギーの累積量がＸ線管球の陽極の耐性以上になると、陽極ターゲットの表面が破壊され、Ｘ線装置の破損を招く。
【０００３】
したがって、図１に示す陽極固定型Ｘ線管球では、固定された陽極ターゲット１１０の端部に放熱フィン１１１が設けられ、陽極ターゲット１１０の熱をタイムリーに真空ハウジングの外部に伝達して絶縁油へ放出するために、放熱フィン１１１が真空ハウジング１０６の外部まで延びている。放熱効率を向上させるために、絶縁油に浸入した放熱フィン１１１の表面積を大きくすることが多い。Ｘ線複合型ヘッド内の絶縁油の比熱容量が大きいため、絶縁油で吸熱するだけによって、Ｘ線複合型ヘッド内の温度を正常な作動範囲に保つことができる。
【発明の概要】
【発明が解決しようとする課題】
【０００４】
本発明の実施例は、このような事情に鑑みてなされたものであり、複合型ヘッド及び放射線撮影装置を提供する。
【課題を解決するための手段】
【０００５】
本発明の第１の態様は、複合型ヘッドであって、
密閉キャビティを有するケースと、
前記密閉キャビティ内に設けられる放射線管球と、
前記密閉キャビティ内に設けられるポンプ及びチューブと、を備え、
前記ポンプは、前記放射線管球の陽極から離れた一方側に設けられ、前記チューブは、一端が前記ポンプの出口に接続され、他端が前記放射線管球の陽極付近まで延びており、または、前記ポンプは、前記放射線管球の陽極付近に設けられ、前記チューブは、一端が前記ポンプの入口に接続され、他端が前記放射線管球の陽極から離れた一方側まで延びている。
【０００６】
あるいは、前記ケースは、カバープレートとケース本体を備え、
前記複合型ヘッドは、前記密閉キャビティ内に設けられ、前記密閉キャビティを、連通している第１のキャビティと第２のキャビティとに仕切る第１の絶縁セパレータをさらに備え、前記カバープレートは前記第１のキャビティの側壁に位置し、
前記放射線管球は前記第１のキャビティに設けられ、前記ポンプは前記第２のキャビティのうち前記放射線管球の陽極から離れた一方側に設けられる。
【０００７】
あるいは、前記カバープレートには、透明カバーがシールして設けられる第１の開口が設けられ、前記放射線管球の放射線の出射面が前記透明カバーの位置に対応する。
【０００８】
あるいは、前記複合型ヘッドは、前記第２のキャビティ内に設けられ、前記第１の絶縁セパレータと交差して設けられ、前記第２のキャビティを第１のサブキャビティと第２のサブキャビティとに仕切る第２の絶縁セパレータをさらに備え、
前記ポンプは前記第１のサブキャビティに設けられ、前記第１のサブキャビティはさらに、
高圧側の両端がそれぞれ前記放射線管球の陽極、陰極に接続される前記複合型ヘッドの高周波トランスと、
高圧側の両端がそれぞれ前記放射線管球の陰極のフィラメントの両端に接続される前記複合型ヘッドのフィラメントトランスとを設けることに用いられ、
前記第２のサブキャビティは、前記複合型ヘッドの回路基板を設けることに用いられる。
【０００９】
あるいは、前記高周波トランスは、
柱状の第１の磁芯と、
前記第１の磁芯の外部に覆設される筒状の第１のフレームワークと、
前記第１のフレームワークの外壁面に巻設される第１のコイルと、
前記第１のコイルの外部に覆設される筒状の第２のフレームワークと、
前記第２のフレームワークの外壁面に巻設される第２のコイルと、
両端がそれぞれ前記第１の磁芯の両端に連結されて閉磁気ループを形成する柱状の第２の磁芯と、を備える。
【００１０】
あるいは、前記第１のコイルは低圧コイルであり、前記第２のコイルは高圧コイルであり、且つ前記第２のコイルの中央部が接地している。
【００１１】
あるいは、前記ケースには第２の開口が設けられ、
前記複合型ヘッドは、前記密閉キャビティ内に設けられ、その開口が前記第２の開口にシールして接続されるカプセルをさらに備える。
【００１２】
あるいは、前記放射線管球の陽極ターゲットが固設されており、前記放射線管球は、
前記陽極ターゲットの端部に接続され、前記放射線管球を貫通して前記密封キャビティ内に入る放熱フィンをさらに備える。
【００１３】
本発明の第２の態様は、請求項１〜８のいずれか１つに記載の複合型ヘッドを備える放射線撮影装置を提供する。
【００１４】
あるいは、前記放射線撮影装置はＣ型アームＸ線装置である。
【発明の効果】
【００１５】
本発明の実施例による複合型ヘッド及び放射線撮影装置では、密閉キャビティ内に放射線管球、ポンプ及びチューブが設けられ、ポンプは、放射線管球の陽極から離れた一方側に設けられ、チューブは、一端がポンプの出口に接続され、他端が放射線管球の陽極付近まで延びており、または、ポンプは、放射線管球の陽極付近に設けられ、チューブは、一端がポンプの入口に接続され、他端が放射線管球の陽極から離れた一方側まで延びている。放射線管球の陽極から離れた位置での絶縁媒体と陽極付近の絶縁媒体との温度差が大きく、ポンプが作動する際に、チューブの他端とポンプの他方のポートが絶縁媒体に浸入し、それにより、陽極から離れた位置で絶縁媒体が陽極付近に吸引され、密閉キャビティの内部の絶縁媒体が循環を構成するように駆動され、それにより、陽極の位置とほかの位置との温度差が徐々に小さくなり、密閉キャビティ内の絶縁媒体の温度勾配分布がより均一になる。
【００１６】
図面を参照すると、本発明の特徴及び利点をより明確に理解でき、図面は、例示的なものであり、本発明を何ら制限するものではない。
【図面の簡単な説明】
【００１７】
【図１】従来の複合型ヘッドの放熱の模式図を示す。
【図２】本発明の実施例に係る複合型ヘッドの立体構造模式図を示す。
【図３】本発明の実施例に係るケース本体を取り外した複合型ヘッドの前面図を示す。
【図４】本発明の実施例に係るケース本体を取り外した複合型ヘッドの後面図を示す。
【図５】図３に示す複合型ヘッドの第２のキャビティの上面図を示す。
【図６】本発明の実施例に係るトランスの立体構造模式図を示す。
【図７】図４に示すトランスの分解図を示す。
【図８】図４に示すトランスの磁気リングの立体構造模式図を示す。
【図９】図４に示すトランスの第２のフレームワークの立体構造模式図を示す。
【図１０】本発明の実施例に係るトランスの原理図を示す。
【発明を実施するための形態】
【００１８】
以下、本発明の実施例の目的、技術案及び利点をより明確にするために、本発明の実施例における図面を参照しながら、本発明の実施例における技術案を明確かつ完全に説明するが、記述される実施例は、本発明の実施例の一部であり、すべての実施例ではないことは明らかである。本発明の実施例に基づいて、当業者が創造的な努力を要さずに想到し得る他のすべての実施例は、本発明の特許範囲に含まれるものとする。
【００１９】
発明者は、大量のシミュレーション分析を行った結果、従来のＸ線複合型ヘッドでは、Ｘ線管球の作動時間が長いと、Ｘ線管球の陽極付近の絶縁油の温度がＸ線複合型ヘッド内のほかの部位の温度よりもはるかに高くなりやすく、温度勾配分布にムラが発生し、局所の絶縁油の温度が８５℃よりも高くなり、絶縁性が大幅に低下し、それによりＸ線複合型ヘッド内の局所で点火現象が発生しやすいことを見出した。通常、Ｘ線管球の作動時間が短い（たとえば、２０分間）ため、このような問題は、安全上の潜在的なリスクとして開発者に注目されていない。このような知見に基づいて、発明者は、従来のＸ線複合型ヘッドを改良することにより本願に記載の技術案を達成させることに至った。
【００２０】
なお、本願における複合型ヘッドは、Ｘ線複合型ヘッドであってもよく、ほかの形態の放射線を発生させる過程に大量の熱エネルギーを生じるヘッドであってもよい。
【００２１】
実施例１
本発明の実施例は複合型ヘッドを提供し、図２に示すように、この複合型ヘッドは、ケース１０、放射線管球２０、ポンプ３０及びチューブ４０を備える。ここでは、ケース１０は密閉キャビティを有し、放射線管球２０、ポンプ３０及びチューブ３０は密閉キャビティ内に設けられる。複合型ヘッドが実際に使用されるときに、密閉キャビティの内部が流動可能な絶縁媒体で満たされている。
【００２２】
図２に示すように、ポンプ３０は、放射線管球２０の陽極から離れた一方側に設けられ、チューブ４０は、一端がポンプ３０の出口に接続され、他端が放射線管球２０の陽極付近まで延びている。チューブ４０の他端とポンプ３０の入口が絶縁媒体に浸入している。放射線管球２０の陽極から離れた位置での絶縁媒体の温度と陽極付近の絶縁媒体との温度差が大きく、ポンプ３０が作動する際に、ポンプ３０の位置での絶縁媒体が吸引され、チューブ４０を介して放射線管球２０の陽極へ流れて陽極管球の位置での温度を低下させ、密閉キャビティの内部にある絶縁媒体が循環を構成するように駆動され、それにより、陽極の位置とほかの位置での温度差が徐々に小さくなり、密閉キャビティ内の絶縁媒体の温度勾配分布がより均一になる。
【００２３】
または、ポンプ３０は放射線管球２０の陽極付近に設けられ、チューブ４０は、一端がポンプ３０の入口に接続され、他端が放射線管球２０の陽極から離れた一方側まで延びている。チューブ４０の他端とポンプ３０の出口が絶縁媒体に浸入している。放射線管球２０の陽極から離れた位置での絶縁媒体の温度と陽極付近の絶縁媒体との温度差が大きく、ポンプ３０が作動するときに、陽極付近から離れた絶縁媒体がチューブ４０を介してポンプ３０の位置に吸引され、陽極管球の位置での温度を低下させ、密閉キャビティの内部の絶縁媒体が循環を形成するように駆動され、それにより、陽極位置とほかの位置での温度差が徐々に小さくなり、密閉キャビティ内の絶縁媒体の温度勾配分布がより均一になる。
なお、密閉キャビティ内の絶縁媒体の比熱容量が通常大きいので、一般的には、放射線管球による放熱の要件を満たすことができ、また、従来の放射線ヘッドは体積が大きく重いので、従来の製品では、そもそも限りのある空間を占めるポンプを密閉キャビティの内部に設けることがない。
【００２４】
これに加えて、なお、本願の実施例では、ポンプを密閉キャビティの内部に設けるのは、密閉キャビティの内部の熱循環を実現し、密閉キャビティの内部の温度勾配分布をより均一にするためである。従来技術では、ポンプを密閉キャビティの外部に設けるような設計は、密閉キャビティの熱を外部へ放散し、つまり、密閉キャビティ内の絶縁媒体の放熱問題を解決するためである。実質的には、密閉キャビティ内の絶縁媒体の比熱容量が通常大きいため、絶縁媒体が大量の熱を吸収しても全体的には平均温度の上昇の度合いがそれほど大きくないので、当業者は、通常、ポンプを設けることにより絶縁媒体の放熱の問題をさらに解決することはない。
【００２５】
なお、密閉キャビティ内の絶縁媒体の比熱容量が通常大きいので、一般的には、放射線管球による放熱の要件を満たすことができ、また、従来の複合型ヘッドでは、一般には、複合型ヘッドの体積を増大することにより総熱容量を増加し、長時間の露出を可能にし、作動温度が規制による要件（６５℃未満）を満たすようにし、したがって、従来の製品では、通常、熱伝達効率の向上、温度勾配の降低のために密閉キャビティの内部にポンプを設けることはない。
【００２６】
これに加えて、なお、本願の実施例では、密閉キャビティの内部の熱循環を実現し、密閉キャビティの内部の温度勾配分布をより均一にし、複合型ヘッドの熱容量を向上させる目的で、ポンプを密閉キャビティの内部に設けるのである。従来の技術では、ポンプを密閉キャビティの外部に設けるような設計は、密閉キャビティの熱を外部へ放散させ、つまり、密閉キャビティ内の絶縁媒体の放熱の問題を解決するためである。実質的には、密閉キャビティ内の絶縁媒体の比熱容量のマージンが大きく、総熱容量が、連続的に透視する場合の平均温度の上昇が規制による温度を超えないという要件を満たすので、当業者は、通常、ポンプを設けることにより絶縁媒体の放熱の問題をさらに解決することはない。
【００２７】
実施例２
本発明の実施例は複合型ヘッドを提供し、実施例１との相違点については、図２及び図３に示すように、ケース１０は、カバープレート１１とケース本体１２を備える。複合型ヘッドは、第１の絶縁セパレータ５０をさらに備える。第１の絶縁セパレータ５０は、密閉キャビティ内に設けられ、密閉キャビティを、連通している第１のキャビティと第２のキャビティとに仕切り、カバープレート１１は、第１のキャビティの側壁に位置し、放射線管球２０は、第１のキャビティに設けられ、ポンプ３０は第２のキャビティのうち放射線管球２０の陽極から離れた一方側に設けられる。図２及び図４に示すように、カバープレート１１には、透明カバーがシールして設けられる第１の開口１３が設けられ、放射線管球２０の放射線の出射面が透明カバーの位置に対応し、つまり、第１の開口は放射線の出射窓として機能する。
【００２８】
なお、第１の開口１３は、カバープレート１１に設けられてもよく、ケース本体１２に設けられてもよい。
【００２９】
さらに、複合型ヘッドは、第２のキャビティ内に設けられ、第１の絶縁セパレータ５０と交差して設けられ（好ましくは垂直に設けられる）、第２のキャビティを第１のサブキャビティと第２のサブキャビティとに仕切る第２の絶縁セパレータ７０をさらに備える。ここでは、ポンプ３０は第１のサブキャビティに設けられる。この第１のサブキャビティは、さらに、複合型ヘッドに必要な高周波トランス８０、フィラメントトランス９０を設けることに用いられ、図３及び図５に示すように、高周波トランス８０は、それぞれ放射線管球２０の陽極、陰極に接続され（通常、倍圧整流後、放射線管球２０の陽極、陰極に接続される）、放射線管球の陰・陽極へ電圧差を供給し、フィラメントトランス９０は、高圧側の両端がそれぞれ放射線管球２０の陰極フィラメントの両端に接続され、放射線管球の陰極フィラメントへ電気エネルギーを供給することに用いられる。第２のサブキャビティは、複合型ヘッドの回路基板１００を設けることに用いられ、これらの回路は、ブースト回路、倍圧回路、周波数逓倍回路、フィルタリング回路、整流回路などであってもよく、図４及び図５に示すように、回路基板１００には、コンデンサ、抵抗などのデバイスが多く実装されている場合が多い。
【００３０】
あるいは、本実施例は高周波トランスを提供し、図６及び図７に示すように、この高周波トランスは、第１の磁芯８１１、第２の磁芯８１２、第１のフレームワーク８２、第１のコイル、第２のフレームワーク８３及び第２のコイルを備える。ここでは、第１の磁芯８１１は柱状であり、第１のフレームワーク８２は第１の磁芯８１１の外部に覆設され、第１のコイルは第１のフレームワーク８２の外壁面に巻設され、第２のフレームワーク８３は第１のコイルの外部に覆設され、第２のコイルは第２のフレームワーク８３の外壁面に巻設され、第２の磁芯８１２の両端はそれぞれ第１の磁芯８１１の両端に連結されて閉磁気ループ８１を形成する。ここでは、第１のコイルは低圧コイルであり、第２のコイルは高圧コイルであり、第２のコイルの中央部が接地している。
【００３１】
この高周波トランスは、第１のコイル、第２のコイルはそれぞれ第１のフレームワーク、第２のフレームワークに覆設され、第２のフレームワークは第１のコイルの外部に覆設され、閉磁気ループの柱本体の部分が第１のフレームワークのキャビティを貫通しており、それによって、第１のコイルと第２のコイルの巻設パラメータが均一になり、同一コイル上の異なる巻のコイルの漏洩磁束、漏洩インダクタンス及び分布容量も同じになる。このため、本発明の実施例による高周波トランスから出力される正の高圧、負の高圧がバランスを取る。
【００３２】
あるいは、上記第１の磁芯８１１は、形状が規則的な直柱状であることによって、コイル巻き付けパラメータの一致性をさらに向上させる。第２の磁芯８１２は、閉磁気ループを形成するようにＵ字形とされてもよい。なお、この好適な実施形態では、第１の磁芯８１１と第２の磁芯８１２は、必ずしも単一の部材であるとは限らず、概念的な分割に過ぎず、第１の磁芯と第２の磁芯は閉磁気ループを形成することができ、閉磁気ループの一部が直柱状であるようにすればよい。たとえば、図８に示すように、閉磁気ループは、２つのＵ字形磁気柱Ａと複数の直柱状磁気柱Ｂとから構成され得る。本願における直柱状磁気柱とは、磁気柱の上面と下面が平行であり、且つ磁気柱の面分割線がこの２つの面に垂直であることを意味する。
【００３３】
図９に示すように、第２のフレームワーク８３の周方向の外壁面には、少なくとも３つの環状溝８３１が開けられ、隣接する２つの環状溝の間に環状凸起が形成され、隣接する２つの環状溝の間の間隔が等しい。第２のコイルは、第２の絶縁フレームワーク８３の環状溝内に順次巻設される。第２のコイルは、全体として第２のフレームワーク８３の外壁面に螺旋状に巻設されている。
【００３４】
環状凸起には、隣接する２つの環状溝を連通させる切り欠き８３２が設けられ、第２のコイルの巻設方向において、隣接する２つの環状溝内のコイルのうち、後方の環状溝内にあるコイルの末端が切り欠きを通過して、前方の環状溝内にあるコイルの開始端に接続される。たとえば、第２のコイルは、環状溝Ａに複数回巻き付けられてから、コイルの末端は環状凸起の切り欠きを通過して環状溝Ｂまで延びて、続けて複数回巻き付けられている。このことから分かるように、第２のフレームワーク８３に環状溝を設計することによって、第２のコイルは、外壁面が小さい場合にも、複数回巻き付けることができ、高電圧を出力することができる。第２のフレームワーク８３は絶縁材料で製造され、隣接する環状溝の間の絶縁凸起により、隣接する環状溝内のコイルの間の絶縁性を向上させることができる。あるいは、すべての切り欠き８３２の結び線は、第２のフレームワークの軸線に平行する直線である。
【００３５】
第２のコイルは、１つであってもよく、且つその中央部が接地して設けられる。本実施例の１つの好ましい実施形態として、図１０に示すように、第２のコイルは、それぞれＱｌ、Ｑ２、Ｑ３、Ｑ４という４つであり、この４つの第２のコイルは、第２のフレームワーク３０の軸方向において、第２のフレームワーク３０の外壁面に間隔を空けて設けられている。また、トランスは、ＶＩ、Ｖ２、Ｖ３、Ｖ４という４つの倍圧回路モジュールをさらに備え、これら４つの倍圧回路モジュールは、第２のコイルに１対１で対応し、入力された電圧を所定の倍数で増幅して出力することに用いられる。各倍圧回路モジュールの入力端が対応する第２のコイルの両端に接続され、４つの倍圧回路の出力端が順次直列接続され、直列接続された両端ＭＮはトランスの出力端となり、図１０に示すように、第２のフレームワーク３０の軸方向において中央部に設けられた２つの第２のコイルの一端が接地する。一方では、トランスの出力した高圧は、コイルだけに依存して電圧を上げられる代わりに、倍圧回路モジュールを通じて電圧を上げられ、それによって、コイルの巻き数が大幅に減少し、さらにトランスが小型化する。他方では、中央部の２つの第２のコイルが接地して設けられるため、各第２のコイルの電位が低下し、中央部において接地している距離の最も小さい２つの第２のコイルは、電位が最低であり、両側にある隣接する第２のコイルは、電位が近く、このように、第２のフレームワーク３０の絶縁性への要件が低下し、第２のフレームワーク３０におけるコイル同士を電気的に離間する環状凸起の厚さが薄くなり、トランスが小型化する。
【００３６】
なお、上記第２のコイルは、４つ以外のほかの偶数個、たとえば、２個、６個、８個・・・であってもよく、それに応じて、倍圧回路モジュールも２個、６個、８個・・・であり、両方は１対１で対応している。
【００３７】
一変形態様として、切り欠きは、環状凸起に設けられる貫通孔としてもよい。
第１のフレームワーク８２及び第２のコイルの巻き付け方式（未図示）については、第２のフレームワーク８３及び第２のコイルの設計方式を参照することができる。又は、第１のフレームワーク８２の外壁面の溝を螺旋状とし、コイルを外壁面に螺旋状に巻き付けるようにしてもよい。ただし、このような設計では、溝の向きに従ってコイルを巻き付けなければならず、溝内に１本のコイルしか巻き付けることができないので、溝の利用率が低く、第２のフレームワークの直径が小さく、長さが短い場合、第２のコイルは高電圧を出力しにくく、したがって、高周波トランスの小型化するためには、第２のフレームワーク８３は螺旋状の溝を用いるのが好ましくない。
【００３８】
本実施例の１つの好ましい実施形態として、閉磁気ループは長方形フレーム構造であってもよい。図６及び図７に示すように、この高周波トランスは、絶縁板８４１及び８４２をさらに備え、絶縁板８４１及び８４２は、一端が第２のフレームワーク８３の端部に固設されており、他端が第２のフレームワーク８３の外壁面に向かって曲がり、第２のコイルと第２の磁芯８１２との間に位置し、コイルによる磁芯の点火を防止することに用いられる。絶縁板８４１及び８４２のうち、第２のコイルと第２の磁芯８１２との間にある部分が接続されているようにしてもよく、このような場合、両端が第２のフレームワーク８３の端面に固定された絶縁板が形成される。
【００３９】
本実施例の１つの好ましい実施形態として、複合型ヘッドが作動する際に、放射線管球２０から放出した熱のほとんどが最終的に密閉キャビティにおける絶縁媒体により吸收され、絶縁媒体の体積が大きくなり、ケースの変形を引き起こしやすい。このため、図２及び図４に示すように、本発明の実施例による複合型ヘッドのケース１０には第２の開口１４が設けられ、複合型ヘッドは、図３及び図４に示すように、密閉キャビティ内に設けられ、その開口が第２の開口１４にシートして接続されるカプセル６０をさらに備える。カプセル６０のチャンバーが外部空間に連通しており、絶縁媒体の体積が大きくなると、カプセル６０が最初に押さえられ、それにより、ケース１０が押さえられて変形することを回避することができる。
【００４０】
本願の実施例では、放射線管球の陽極ターゲットは固定型陽極ターゲットであってもよく、回転型陽極ターゲットであってもよい。本実施例の１つの好ましい実施形態として、放射線管球２０の陽極ターゲットは固設されており（通常、Ｍｏｎｏｂｌｏｃｋ又はＭｏｎｏｔａｎｋと呼ばれる）、この放射線管球２０は、陽極ターゲットの端部に接続され、放射線管球２０を貫通して密閉キャビティ内に入る放熱フィン（図１参照）をさらに備える。放熱フィンは、熱伝達方式で陽極ターゲットの大量の熱を密閉キャビティ内の絶縁媒体に素早く伝達することができる。
【００４１】
実施例３
本発明の実施例は、実施例１若しくは実施例２及びその任意の好ましい実施形態に記載の複合型ヘッドを備える放射線撮影装置を提供する。
【００４２】
あるいは、この放射線撮影装置はＣ型アームＸ線装置である。
【００４３】
図面を参照しながら本発明の実施例を説明したが、当業者であれば、本発明の趣旨及び範囲を逸脱することなくさまざまな修正や変形を行うことができ、このような修正や変形はすべて添付の特許請求の範囲により限定される範囲に属する。
【図１】
2021516862.tif 000003
【図２】
2021516862.tif 000004
【図３】
2021516862.tif 000005
【図４】
2021516862.tif 000006
【図５】
2021516862.tif 000007
【図６】
2021516862.tif 000008
【図７】
2021516862.tif 000009
【図８】
2021516862.tif 000010
【図９】
2021516862.tif 000011
【図１０】
2021516862.tif 000012
【国際調査報告】
2021516862.tif 000013
2021516862.tif 000014
2021516862.tif 000015
2021516862.tif 000016